(57)【要約】      （修正有）【課題】部品点数が少なく、組み立てが容易な座起立式椅子を提供する。【解決手段】１つの座２と１本の脚４と脚側ブラケット５と座側ブラケット６と前後２本１組で左右２組のリンク部材と座２と脚４とによりそれぞれ四節リンクを構成して座２を略水平の使用位置と略垂直の起立位置との間で揺動するよう支持する座揺動支持手段７とを具える座起立式椅子であり、上記前後２本１組のリンク部材のうち何れか一方が左右２組に共通の１本の共通リンク部材であり、他方が左右２組の２本のリンク部材をそれぞれ構成する２本のリンク部とそれらのリンク部の座側の端部同士を結合する１本の軸部とを一体に有する１本のコ字状リンク部材であり、座側ブラケット６と座２の裏面とにそれぞれ第１軸受け部分が形成され、座側ブラケット６が座２の裏面に取り付けられ、座側ブラケット６の第１軸受け部分がコ字状リンク部材の軸部を座２の裏面の第１軸受け部分との間に挟持する。【選択図】図３
2011004982.tif 000002
【特許請求の範囲】
【請求項１】
１つの座（２）と、
１本の脚（４）と、
前記脚に取り付けられる脚側ブラケット（５）を介して前記脚に一端部を連結されるとともに、前記座の裏面（２ｃ）に取り付けられる座側ブラケット（６）を介して前記座に他端部を連結される前後２本１組で左右２組のリンク部材（８，９）により、前記座および前記脚とともに左右２つの四節リンクを構成して、それらの四節リンクで前記座を、その座が略水平の使用位置と略垂直の起立位置との間で概ねその座の前方斜め上方位置を仮想中心として振り子状に揺動し、前記使用位置から前記起立位置へ向かって後ろ上がりに移動するよう支持する座揺動支持手段（７）と、
を具える座起立式椅子（１）において、
前記座揺動支持手段の前記前後２本１組のリンク部材のうち何れか一方が、前記左右２組に共通の１本の共通リンク部材（８）であり、
前記座揺動支持手段の前記前後２本１組のリンク部材のうち他方が、前記左右２組の２本のリンク部材をそれぞれ構成する２本のリンク部（９a）と、前記座の左右方向へ延在してそれらのリンク部の前記座側の端部同士を結合する１本の軸部（９ｂ）とを一体に有する１本のコ字状リンク部材（９）であり、
前記座側ブラケット（６）と前記座（２）の裏面（２ｃ）とにそれぞれ第１軸受け部分（６ａ，２ｄ）が形成され、
前記座側ブラケット（６）が前記座（２）の裏面（２ｃ）に取り付けられて、前記座側ブラケットの第１軸受け部分（６ａ）が前記コ字状リンク部材（９）の軸部（９ｂ）を、前記座の裏面の第１軸受け部分（２ｄ）との間に挟持することを特徴とする、座起立式椅子。
【請求項２】
前記座側ブラケット（６）と前記座（２）の裏面（２ｃ）とにそれぞれ第２軸受け部分（６ｂ，２ｅ）が形成され、
前記座側ブラケット（６）が前記座（２）の裏面（２ｃ）に取り付けられて、前記座側ブラケットの第２軸受け部分（６ｂ）が、前記共通リンク部材（８）の前記座側の端部に設けられた支持軸（１６）を、前記座の裏面の第２軸受け部分（２ｅ）との間に挟持することを特徴とする、請求項１記載の座起立式椅子。
【請求項３】
前記支持軸（１６）に、前記共通リンク部材（８）に一端部（１５ｂ）を掛止された起立ばね（１５）が挿通され、
前記座側ブラケット（６）に外側から挿通されたねじ部材（１３）にその座側ブラケットの内側で螺合されたナット（１４）が、その座側ブラケットにより回転を規制されるとともに前記ねじ部材の延在方向への移動を案内され、
前記起立ばねの他端部（１５ａ）が、前記ナットに掛止されていることを特徴とする、請求項１または２記載の座起立式椅子。
【請求項４】
前記座（２）は、型成形されたものであり、
前記座起立式椅子（１）は、型成形された１つの背（３）をさらに具え、
前記背が一体に有するブラケット（３ｃ）が前記脚（４）に結合されて、前記背が前記脚に固定されていることを特徴とする、請求項１から３までの何れか１項記載の座起立式椅子。
【請求項５】
前記脚（４）には掛合孔が形成され、
前記脚側ブラケット（５）と前記背のブラケット（３ｃ）との少なくとも一方は、前記掛合孔と掛合して前記脚側ブラケットまたは前記背のブラケットを仮保持する仮保持部材（１２，３ｄ）を有することを特徴とする、請求項4記載の座起立式椅子。
【請求項６】
前記脚の下端部には、前記座の横幅の１／３〜１／４の横幅の足（２２）が固設されていることを特徴とする、請求項１から５までの何れか１項記載の座起立式椅子。
【請求項７】
前記脚（４）に取り付けられる脚側ブラケット（５）と、
前記座（２）の裏面（２ｃ）に取り付けられる座側ブラケット（６）と、
前記脚側ブラケット（５）を介して前記脚に一端部を連結されるとともに前記座側ブラケット（６）を介して前記座に他端部を連結される前後２本１組で左右２組のリンク部材（８，９）と、を具え、
前記前後２本１組で左右２組のリンク部材が、前記座および前記脚とともに左右２つの四節リンクを構成して、それらの四節リンクで前記座を、その座が略水平の使用位置と略垂直の起立位置との間で概ねその座の前方斜め上方位置を仮想中心として振り子状に揺動し、前記使用位置から前記起立位置へ向かって後ろ上がりに移動するよう支持する座起立式椅子用座起立ユニット（７）において、
前記座揺動支持手段の前記前後２本１組のリンク部材のうち何れか一方が、前記左右２組に共通の１本の共通リンク部材（８）であり、
前記座揺動支持手段の前記前後２本１組のリンク部材のうち他方が、前記左右２組の２本のリンク部材をそれぞれ構成する２本のリンク部（９a）と、前記座の左右方向へ延在してそれらのリンク部の前記座側の端部同士を結合する１本の軸部（９ｂ）とを一体に有する１本のコ字状リンク部材（９）であり、
前記座側ブラケット（６）と前記座（２）の裏面（２ｃ）とにそれぞれ第１軸受け部分（６ａ，２ｄ）が形成され、
前記座側ブラケット（６）が前記座（２）の裏面（２ｃ）に取り付けられて、前記座側ブラケットの第１軸受け部分（６ａ）が前記コ字状リンク部材（９）の軸部（９ｂ）を、前記座の裏面の第１軸受け部分（２ｄ）との間に挟持することを特徴とする、請求項１から６までの何れか１項記載の座起立式椅子用座起立ユニット。
【発明の詳細な説明】
【技術分野】
【０００１】
この発明は、学校等の学生机と組み合わされる椅子や、議場並びに劇場椅子や、競技場の観覧椅子や、製図等の各種作業用椅子や、電車等の車両用椅子や、駅や公園等の公共施設の待合い椅子等の各種椅子として利用される座起立式椅子および、その座起立式椅子に用いられる座起立ユニットに関するものである。
【背景技術】
【０００２】
従来の座起立式椅子としては、例えば本願出願人が先に特許文献１にて開示したものが知られており、この座起立式椅子は、教室や講堂等に机と組み合わされて複数列設置されるもので、後ろ側の席の机の脚に脚側ブラケットを介して連結するとともに前側の席の座の下面に座側ブラケットを介して連結した前後２本１組で左右２組のリンク部材によりそれぞれ四節リンクを構成し、それら２つの四節リンクで前側の席の座を、その座が略水平の使用位置と略垂直の起立位置との間で概ねその座の前方斜め上方位置を仮想中心として振り子状に揺動し、使用位置から起立位置へ向かって後ろ上がりに移動するよう支持するとともに、上記脚側ブラケットと左右のリンク部材との間に介挿した起立ばねにより、座を起立位置へ向けて常時付勢している。
【０００３】
かかる構成により上記座起立式椅子は、人の自然な姿勢での着座および立ち上がり動作に座の動きを追従させることができるため、人がスムーズに離着席でき、しかも、座が使用位置から起立位置へ向かって前上がりに移動する通常の座起立式椅子と比較して、使用位置での座と机との間隔が同じ場合でも、使用位置と起立位置との中間の位置での座と机との間隔が広くなるので、人が着座および立ち上がり動作をする際に、通常の座起立式椅子のように座と机との間に不自然な体勢で人が挟まれる状態をなくすことができる。
【先行技術文献】
【特許文献】
【０００４】
【特許文献１】特開平４−３６７６２２号公報
【発明の概要】
【発明が解決しようとする課題】
【０００５】
ところで、本願発明者は上記従来の座起立式椅子についてさらに研究を進めたところ、以下の如き改良の余地を見出した。すなわち、上記従来の座起立式椅子では、座に振り子状の動きを与えるために、左右２組のリンク部材でそれぞれ四節リンクを構成して座を支持していることから、それらのリンク部材並びにそれを支持する軸部材および軸受け部材等の専用部品の部品点数が多くなって製造コストが嵩むという不都合があった。
【０００６】
また、座の動きを滑らかにするために左右の四節リンクを連動させる必要があるため、椅子の組み立て時に左右のリンク部材を、座側または脚側ブラケットに挿通した共通の軸部材にそれぞれ固定する必要があって、組み立ての手間が嵩むという不都合もあった。
【課題を解決するための手段】
【０００７】
この発明は、上記従来の座起立式椅子の課題を有利に解決するものであり、この発明の座起立式椅子は、１つの座と、１本の脚と、前記脚に取り付けられる脚側ブラケットを介して前記脚に一端部を連結されるとともに、前記座の裏面に取り付けられる座側ブラケットを介して前記座に他端部を連結される前後２本１組で左右２組のリンク部材により、前記座および前記脚とともに左右２つの四節リンクを構成して、それらの四節リンクで前記座を、その座が略水平の使用位置と略垂直の起立位置との間で概ねその座の前方斜め上方位置を仮想中心として振り子状に揺動し、前記使用位置から前記起立位置へ向かって後ろ上がりに移動するよう支持する座揺動支持手段と、を具える座起立式椅子において、前記座揺動支持手段の前記前後２本１組のリンク部材のうち何れか一方が、前記左右２組に共通の１本の共通リンク部材であり、前記座揺動支持手段の前記前後２本１組のリンク部材のうち他方が、前記左右２組の２本のリンク部材をそれぞれ構成する２本のリンク部と、前記座の左右方向へ延在してそれらのリンク部の前記座側の端部同士を結合する１本の軸部とを一体に有する１本のコ字状リンク部材であり、前記座側ブラケットと前記座の裏面とにそれぞれ第１軸受け部分が形成され、前記座側ブラケットが前記座の裏面に取り付けられて、前記座側ブラケットの第１軸受け部分が前記コ字状リンク部材の軸部を、前記座の裏面の第１軸受け部分との間に挟持することを特徴とするものである。
【０００８】
また、この発明の座起立式椅子用座起立ユニットは、前記脚に取り付けられる脚側ブラケットと、前記座の裏面に取り付けられる座側ブラケットと、前記脚側ブラケットを介して前記脚に一端部を連結されるとともに前記座側ブラケットを介して前記座に他端部を連結される前後２本１組で左右２組のリンク部材と、を具え、前記前後２本１組で左右２組のリンク部材が、前記座および前記脚とともに左右２つの四節リンクを構成して、それらの四節リンクで前記座を、その座が略水平の使用位置と略垂直の起立位置との間で概ねその座の前方斜め上方位置を仮想中心として振り子状に揺動し、前記使用位置から前記起立位置へ向かって後ろ上がりに移動するよう支持する座起立式椅子用座起立ユニットにおいて、前記座揺動支持手段の前記前後２本１組のリンク部材のうち何れか一方が、前記左右２組に共通の１本の共通リンク部材であり、前記座揺動支持手段の前記前後２本１組のリンク部材のうち他方が、前記左右２組の２本のリンク部材をそれぞれ構成する２本のリンク部と、前記座の左右方向へ延在してそれらのリンク部の前記座側の端部同士を結合する１本の軸部とを一体に有する１本のコ字状リンク部材であり、前記座側ブラケットと前記座の裏面とにそれぞれ第１軸受け部分が形成され、前記座側ブラケットが前記座の裏面に取り付けられて、前記座側ブラケットの第１軸受け部分が前記コ字状リンク部材の軸部を、前記座の裏面の第１軸受け部分との間に挟持することを特徴とするものである。
【発明の効果】
【０００９】
上述したこの発明の座起立式椅子および座起立式椅子用座起立ユニットによれば、座揺動支持手段の左右２つの四節リンクを構成する前後２本１組で左右２組のリンク部材を、１本の共通リンク部材と１本のコ字状リンク部材とで構成するので、それらのリンク部材並びにそれを支持する軸部材および軸受け部材等の専用部品の部品点数を削減して、椅子の製造コストを安価なものにすることができる。
【００１０】
また、座の動きを滑らかにするために左右の四節リンクを連動させる必要がある処、１本の共通リンク部材も、２本のリンク部の座側の端部同士を軸部で結合した１本のコ字状リンク部材も、何れも左右の四節リンクを連動させるから、椅子の組み立て時には、１本の共通リンク部材を座側ブラケットで座の裏面に連結するとともに、その座側ブラケットの第１軸受け部分で１本のコ字状リンク部材の軸部を座の裏面の第１軸受け部分との間に挟持するだけで済むので、組み立ての手間を削減して、この点でも椅子の製造コストを安価なものにすることができる。
【００１１】
なお、この発明の座起立式椅子においては、前記座側ブラケットと前記座の裏面とにそれぞれ第２軸受け部分が形成され、前記座側ブラケットが前記座の裏面に取り付けられて、前記座側ブラケットの第２軸受け部分が、前記共通リンク部材の前記座側の端部に設けられた支持軸を、前記座の裏面の第２軸受け部分との間に挟持することとしても良い。かかる構成によれば、共通リンク部材の座側の端部に設けられた支持軸も、座側ブラケットの第２軸受け部分で、座の裏面の第２軸受け部分との間に挟持するだけで座の裏面に連結できるので、組み立ての手間を削減して、この点でも椅子の製造コストを安価なものにすることができる。
【００１２】
また、この発明の座起立式椅子においては、前記支持軸に、前記共通リンク部材に一端部を掛止された起立ばねが挿通され、前記座側ブラケットに外側から挿通されたねじ部材にその座側ブラケットの内側で螺合されたナットが、その座側ブラケットにより回転を規制されるとともに前記ねじ部材の延在方向への移動を案内され、前記起立ばねの他端部が、前記ナットに掛止されていても良い。かかる構成によれば、着座者の離座時に起立ばねによって座を自動的に起立位置に戻すことができ、しかも座の重量はパッドの有無等によって異なる処、ねじ部材を回転させてナットをねじ部材の延在方向へ移動させることで起立ばねの戻し力の強さを調節できるので、起立ばねの戻し力の強さを容易に、座の重量に応じた適切な強さに設定することができる。
【００１３】
また、この発明の座起立式椅子においては、前記座は、型成形されたものであり、前記座起立式椅子は、型成形された１つの背をさらに具え、前記背が一体に有するブラケットが前記脚に結合されて、前記背が前記脚に固定されていても良い。かかる構成によれば、座を型成形するので、座の裏面に第１軸受け部分や第２軸受け部分を一体に形成でき、また背も型成形するので、背にもブラケットを一体に形成し得て、部品点数の削減により椅子の製造コストを安価なものにすることができる。
【００１４】
さらに、この発明の座起立式椅子においては、前記脚には掛合孔が形成され、前記脚側ブラケットと前記背のブラケットとの少なくとも一方は、前記掛合孔と掛合して前記脚側ブラケットまたは前記背のブラケットを仮保持する仮保持部材を有していても良い。かかる構成によれば、仮保持部材を脚の掛合孔と掛合させることで脚側ブラケットや背のブラケットを脚に仮保持させている間に、ボルト等の取り付け部材を装着することができるので、脚への脚側ブラケットや背の取り付け作業を容易なものとすることができる。
【００１５】
そして、この発明の座起立式椅子においては、前記脚の下端部に、前記座の横幅の１／３〜１／４の横幅の足が固設されていても良い。かかる構成によれば、その足を床面に固定することで脚の横方向の支持剛性が高まるので、複数の椅子を横並びに設置する場合にそれらの椅子同士を連結する貫材を設ける必要をなくして、部品点数および組み立ての手間を削減し、椅子の製造コストを安価なものにすることができる。
【図面の簡単な説明】
【００１６】
【図１】この発明の座起立式椅子の一実施例を横長の机と組み合わせた状態で示す正面図である。
【図２】上記実施例の座起立式椅子を横長の机と組み合わせた状態で示す平面図である。
【図３】上記実施例の座起立式椅子を横長の机と組み合わせた状態で示す側面図である。
【図４】（ａ），（ｂ）は、上記実施例の座起立式椅子の座の形状を示す側面図および下面図である。
【図５】（ａ），（ｂ），（ｃ）は、上記実施例の座起立式椅子の背の形状を示す平面図、背面図および側面図である。
【図６】上記実施例の座起立式椅子の座起立ユニットを座に取り付けた状態で示す側面図である。
【図７】上記実施例の座起立式椅子の座起立ユニットを単独で示す側面図である。
【図８】（ａ），（ｂ），（ｃ），（ｄ），（ｅ）は、上記実施例の座起立式椅子の脚側ブラケットの形状を示す平面図、正面図、側面図、背面図および下面図である。
【図９】（ａ），（ｂ），（ｃ）は、上記実施例の座起立式椅子の座側ブラケットの形状を示す平面図、側面図および下面図である。
【図１０】上記実施例の座起立式椅子の脚側ブラケットへの共通リンク部材とコ字状リンク部材との連結方法を示す分解説明図である。
【図１１】上記実施例の座起立式椅子の座側ブラケットへの共通リンク部材とコ字状リンク部材との連結方法を示す平面図である。
【図１２】上記実施例の座起立式椅子の脚側ブラケットに取り付ける戻しばねの構成を示す分解説明図である。
【発明を実施するための形態】
【００１７】
以下、この発明の実施の形態を図面に基づく実施例によって詳細に説明する。ここに、図１，図２および図３は、この発明の座起立式椅子の一実施例を横長の机と組み合わせた状態でそれぞれ示す正面図，平面図および側面図であり、この実施例の座起立式椅子も前述の従来例と同様、教室や講堂等に横長の机と組み合わされて複数列設置されるもので、図中、符号１はその実施例の座起立式椅子、２３は机をそれぞれ示す。
【００１８】
ここで、最前列（図２，３中左側）の席は、机２３が単独で床面Ｆに固定されるとともに座起立式椅子１が後ろ側の列の机２３と組み合わされて床面Ｆに固定され、中間列（図２，３中中央）の席は、この後ろ側の列の机２３と組み合わされた座起立式椅子１が前後に並べられて床面Ｆに固定され、最後列（図２，３中右側）の席は、前側の席の座起立式椅子１と組み合わされた机２３が床面Ｆに固定されるとともに座起立式椅子１が単独で床面Ｆに固定されており、机２３と組み合わされた座起立式椅子１と単独の座起立式椅子１とは、脚の上端部の構成が異なるだけで、他の部分については同一に構成されている。
【００１９】
すなわち、この実施例の座起立式椅子１は、机２３と組み合わされたものも単独のものも何れも、１つの座２と、１つの背３と、１本の脚４とを具えている。さらにこの実施例の座起立式椅子１は、その脚４に取り付けられる脚側ブラケット５と、座２の裏面２ｃに取り付けられる座側ブラケット６とを有する、座揺動支持手段としての座起立ユニット７を具えており、この座起立ユニット７は、左右２つの四節リンクで座２を、その座２が図３中中央の椅子１に示す略水平の使用位置と図３中右側の椅子１に示す略垂直の起立位置との間で概ねその座の前方斜め上方位置を仮想中心として振り子状に揺動し、上記使用位置から上記起立位置へ向かって後ろ上がりに移動するよう支持する。
【００２０】
図４（ａ），（ｂ）は、上記実施例の座起立式椅子１の座２の形状をそれぞれ示す側面図および下面図であり、ここにおける座２は、合成樹脂を射出成型してなるもので、従来の合板製の座よりもより人の体に沿う深いラウンド形状を持つ座面２ａを有するとともに、その座面２ａを支持するためのリブ２ｂを持つ裏面２ｃを有しており、その裏面２ｃのリブ２ｂは、各々中心軸線が座２の左右方向へ延在する側方から見て上半分の半円形の第１軸受け部分２ｄおよび第２軸受け部分２ｅを形成している。また、裏面２ｃのリブ２ｂは、座２が上記使用位置に移動すると後述のコ字状リンク部材と当接して座２をその使用位置に保持する図示しない２個の弾性ストッパを固定するための矩形の凹部である２箇所のストッパ受け部２ｆも形成している。
【００２１】
図５（ａ），（ｂ）および（ｃ）は、上記実施例の座起立式椅子１の背３の形状をそれぞれ示す平面図、背面図および側面図であり、ここにおける背３も、合成樹脂を射出成型してなるもので、従来の合板製の背よりもより人の体に沿う深いラウンド形状を持つ受け面３ａを有するとともに、その受け面３ａを支持するためのリブ３ｂおよび、そのリブ３ｂに結合されたブラケット３ｃと、そのブラケット３ｃの内側で後方へ突出する、仮保持部材としての柱状の仮保持突起３ｄとを一体に持つ背面３ｅを有しており、その背面３ｅのリブ３ｂは、放熱用フィンのように複数枚並んで水平に延在している。
【００２２】
図６および図７は、上記実施例の座起立式椅子１の座起立ユニット７を座２に取り付けた状態および単独でそれぞれ示す側面図であり、ここにおける座起立ユニット７は、脚側ブラケット５および座側ブラケット６に加えて、上述した左右２つの四節リンクを構成するための１本の共通リンク部材８および１本のコ字状リンク部材９を有している。
【００２３】
図８（ａ），（ｂ），（ｃ），（ｄ）および（ｅ）は、脚側ブラケット５の形状をそれぞれ示す平面図、正面図、側面図、背面図および下面図であり、ここにおける脚側ブラケット５は、アルミニウム合金を鋳造成型してなるもので、正面側にコ字状リンク部材９用の２箇所の支持軸取り付け部５ａおよび共通リンク部材８用の２箇所の軸受け部５ｂを有するとともに、背面側に横断面がコ字状の溝形をなす脚取り付け部５ｃを有しており、その脚取り付け部５ｃには、図６，７に示す戻しばね１０を取り付けるねじ部５ｄと、その戻しばね１０に取り付けた戻しコマ１１を正面側に突出させる開口部５ｅと、図６，７に示す仮保持部材としての仮保持ねじ１２を取り付けるねじ部５ｆとが設けられている。
【００２４】
図９（ａ），（ｂ）および（ｃ）は、座側ブラケット６の形状を示す平面図、側面図および下面図であり、ここにおける座側ブラケット６は、合成樹脂を射出成型してなるもので、この座側ブラケット６を座２の裏面２ｃの所定位置に固定された状態で上記座２の裏面２ｃの第１軸受け部分２ｄおよび第２軸受け部分２ｅとそれぞれ対向してそれぞれ円形の軸受けを画成する、各々中心軸線が座２の左右方向へ延在する側方から見て下半分の半円形の第１軸受け部分６ａおよび第２軸受け部分６ｂを有するとともに、第１軸受け部分６ａと共働してコ字状リンク部材９の軸部９ｂを保持する円弧状の押さえ部６ｃを有している。
【００２５】
さらに座側ブラケット６は、ねじ部材としての、図６，７に示す起立力調節ねじ１３を挿通されるねじ孔６ｄと、そのねじ孔６ｄに座側ブラケット６の外側（図９（ｂ）では下側）から挿通された起立力調節ねじ１３と座側ブラケット６の内側（図９（ｂ）では上側）で螺合するナット１４をその回転を規制しつつ起立力調節ねじ１３に沿って移動させるナット案内溝６ｅと、図６，７に示す起立ばね１５の一端部１５ａをその案内溝６ｅに隣接させてナット１４への掛止状態に保持しつつ起立力調節ねじ１３に沿って移動させるばね端部案内溝６ｆと、座側ブラケット６を座２の裏面２ｃに固定するための６箇所のボルト孔６ｇとを有している。
【００２６】
そして、共通リンク部材８は、図６，７および図１０に示すように、真直ぐな丸パイプの一端部を平坦に潰して形成されたものであり、その潰された方の端部である座側端部８ａに形成された貫通孔に支持軸１６を挿通されて、その支持軸１６を座側ブラケット６の第２軸受け部分２ｅに掛止されるとともに、他方の端部である脚側端部８ｂを脚側ブラケット５の２箇所の軸受け部５ｂの間にスペーサ１７とともに配置されて、それら軸受け部５ｂとスペーサ１７と脚側端部８ｂとにそれぞれ形成された貫通孔に挿通されてねじ固定された支持軸１８により脚側ブラケット５に枢支される。なお、座側端部８ａの両側に突出する支持軸１６にはスリーブ１９を介して各々コイルばねからなる２個の起立ばね１５が挿通されており、それらの起立ばね１５の上記一端部１５ａはナット１４に掛止され、他端部１５ｂは座側端部８ａの両側にそれぞれ複数箇所ずつ形成された掛止孔に掛止されている。
【００２７】
また、コ字状リンク部材９は、図６，７および図１１に示すように、丸パイプをコ字状に曲げ成形することで、２本のリンク部９aと、座２の左右方向へ延在してそれらのリンク部９ａの座２側の端部同士を結合する１本の軸部９ｂとを一体に有するように形成されるとともに、その丸パイプの両端部にスリーブを溶接することで、軸部９ｂと反対側の端部に２箇所の軸受け部９ｃを設けられたものであり、図１０に示すようにそれらの軸受け部９ｃにブッシュ２０を介して挿通された支持軸２１を、脚側ブラケット５の２箇所の支持軸取り付け部５ａにそれぞれ螺着することで脚側ブラケット５に枢支されるとともに、図１１に示すようにその軸部９ｂを座側ブラケット６の第１軸受け部分６ａと円弧状の押さえ部６ｃとの間に押し込まれて保持される。
【００２８】
かかる構成の座起立ユニット７は、図６に示すように、その座側ブラケット６を座２の裏面２ｃの所定位置に止めねじで取り付けると、座側ブラケット６の第１軸受け部分６ａがコ字状リンク部材９の軸部９ｂを、座２の裏面２ｃの第１軸受け部分２ｄとの間に回動自在に挟持するとともに、座側ブラケット６の第２軸受け部分６ｂが、共通リンク部材８の座側の端部８ａに設けられた支持軸１６を、座２の裏面２ｃの第２軸受け部分２ｄとの間に回動自在に挟持する。
【００２９】
さらに図６，７に示すように、座側ブラケット６の背面側のねじ部５ｄには、図１２に示す如き板ばねからなる戻しばね１０の基部が取り付けられ、その戻しばね１０の先端部にねじ１１ａで取り付けられた戻しコマ１１が、共通リンク部材８に当接して座３を起立位置へ戻し得るように座側ブラケット６の開口部５ｅから正面側に突出しており、その戻しコマ１１の表面には、共通リンク部材８との当接の際の異音の発生を抑えるように、フェルト１１ｂが貼着され、ている。
【００３０】
そしてこの実施例の座起立式椅子１は、座起立ユニット７の脚側ブラケット５を脚４の所定位置に止めねじで固定して取り付けるとともに、背３のブラケット３ｃを脚４の、座起立ユニット７の取り付け位置の上方の所定位置に止めねじで固定して取り付けることで構成されており、それらの取り付けの際には、座側ブラケット６の背面側のねじ部５ｆに取り付けた仮保持ねじ１２の頭部を、脚４に形成した図示しない掛合孔に挿入してその孔の縁に掛止するとともに、背３の背面３ｅの仮保持突起３ｄを、脚４に形成したもう一つの図示しない掛合孔に圧入してその孔の縁に掛止することで、止めねじで固定するまでそれら脚側ブラケット５と背３とを所定の位置に仮保持する。なお、脚４の下端部には座２の横幅の１／３〜１／４の横幅の略盾形の足２２が固設されている。
【００３１】
かかる実施例の座起立式椅子１は、座起立ユニット７の、脚４に取り付けられる脚側ブラケット５を介して脚４に一端部を連結されるとともに、座２の裏面２ｃに取り付けられる座側ブラケット６を介して座２に他端部を連結される前後２本１組で左右２組のリンク部材８，９により、座２および脚４とともに左右２つの四節リンクを構成して、それらの四節リンクで座２を支持するので、座２は、略水平の使用位置と略垂直の起立位置との間で概ねその座２の前方斜め上方位置を仮想中心として振り子状に揺動し、上記使用位置から上記起立位置へ向かって移動する際は後ろ上がりに移動する。
【００３２】
なお、上記起立位置は、人が臀部で座３を押し下げ易いように、戻しばね１０がその先端部の戻しコマ１１を共通リンク部材８に当接させて座３を前方へ少し押し戻した状態で成立しており、この座起立ユニット７では上記起立位置から戻しばね１０に抗して座２を後方へ押すことで、座２をさらに机２３から離間させて、机２３と座２との間の通路を広げることができ、座２を後方へ押すのを止めれば、座２は戻しばね１０で押し戻されて上記起立位置へ戻る。
【００３３】
従って、この実施例の座起立式椅子１および座起立ユニット７によれば、人の自然な姿勢での着座および立ち上がり動作に座２の動きを追従させることができるため、人がスムーズに離着席でき、しかも、座２が使用位置から起立位置へ向かって前上がりに移動する通常の座起立式椅子と比較して、使用位置での座２と机２３との間隔が同じ場合でも、使用位置と起立位置との中間の位置での座２と机２３との間隔が広くなるので、人が着座および立ち上がり動作をする際に、通常の座起立式椅子のように座２と机２３との間に不自然な体勢で人が挟まれる状態をなくすことができる。
【００３４】
しかもこの実施例の座起立式椅子１および座起立ユニット７によれば、座起立ユニット７の左右２つの四節リンクを構成する前後２本１組で左右２組のリンク部材を、１本の共通リンク部材８と１本のコ字状リンク部材９とで構成するので、それらのリンク部材８，９並びにそれを支持する軸部材および軸受け部材等の専用部品の部品点数を削減して、椅子１の製造コストを安価なものにすることができる。さらに、上記のように前後２本１組で左右２組のリンク部材を、１本の共通リンク部材８と１本のコ字状リンク部材９とで構成するので、前後２本１組のリンク部材間および左右２組のリンク部材間すなわち共通リンク部材８とコ字状リンク部材９との間の隙間を十分に大きく取り得て、使用位置と起立位置との間での座２の移動の際にリンク部材間に指や物が挟まる可能性をほとんどもしくは全くなくすことができる。
【００３５】
また、座の動きを滑らかにするために左右の四節リンクを連動させる必要がある処、１本の共通リンク部材８も、２本のリンク部９ａの座２側の端部同士を軸部９ｂで結合した１本のコ字状リンク部材９も、何れも左右の四節リンクを連動させるから、椅子１の組み立て時には、１本の共通リンク部材８を座側ブラケット６で座２の裏面２ｃに連結するとともに、その座側ブラケット６の第１軸受け部分６ａで１本のコ字状リンク部材９の軸部９ｂを座２の裏面２ｃの第１軸受け部分２ｄとの間に挟持するだけで済むので、組み立ての手間を削減して、この点でも椅子１の製造コストを安価なものにすることができる。
【００３６】
そしてこの実施例の座起立式椅子１および座起立ユニット７では、座側ブラケット６と座２の裏面２ｃとにそれぞれ第２軸受け部分６ｂ，２ｅが形成され、座側ブラケット６が座２の裏面２ｃに取り付けられて、座側ブラケット６の第２軸受け部分６ｂが、共通リンク部材８の座２側の端部８ａに設けられた支持軸１６も、座２の裏面２ｃの第２軸受け部分２ｅとの間に挟持するだけで座２の裏面２ｃに連結できるので、組み立ての手間を削減して、この点でも椅子１の製造コストを安価なものにすることができる。
【００３７】
さらにこの実施例の座起立式椅子１および座起立ユニット７によれば、支持軸１６に、共通リンク部材８に一端部１５ｂを掛止された起立ばね１５が挿通され、座側ブラケット６に外側から挿通された起立力調節ねじ１３にその座側ブラケット６の内側で螺合されたナット１４が、その座側ブラケット６により回転を規制されるとともに起立力調節ねじ１３の延在方向への移動を案内され、起立ばね１５の他端部１５ａが、ナット１４に掛止されているので、着座者の離座時に起立ばね１５によって座２を自動的に起立位置に戻すことができ、しかも座２の重量はパッドの有無等によって異なる処、起立力調節ねじ１３を回転させてナット１４を起立力調節ねじ１３の延在方向へ移動させることで起立ばね１５の戻し力の強さを調節できるので、起立ばね１５の戻し力の強さを容易に、座２の重量に応じた適切な強さに設定することができる。そして、この実施例の座起立式椅子１では起立ばね１５を座側ブラケット６の内側に配置して、起立ばね１５から共通リンク部材８の座２側端部８ａに戻しトルクを与えることで起立ばね１５の負荷が減ったので、起立ばね１５を従来よりもコンパクトなものとすることができる。
【００３８】
また、この実施例の座起立式椅子１によれば、座２は、型成形されたものであり、座起立式椅子１は、型成形された１つの背３をさらに具え、背３が一体に有するブラケット３ｃが脚４に結合されて背３が脚４に固定されていることから、座２を型成形するので、座２の裏面２ｃに第１軸受け部分２ｄや第２軸受け部分２ｅを一体に形成でき、また背３も型成形するので、背３にもブラケット３ｃを一体に形成し得て、部品点数の削減により椅子１の製造コストを安価なものにすることができる。
【００３９】
さらにこの実施例の座起立式椅子１によれば、脚４には掛合孔が形成され、脚側ブラケット５と背３のブラケット３ｃとは、上記掛合孔と掛合してそれらを仮保持する仮保持部材として仮保持ねじ１２と仮保持突起３ｄとを有していることから、仮保持ねじ１２と仮保持突起３ｄとを脚４の掛合孔と掛合させることで脚側ブラケット５や背３のブラケット３ｃを脚４に仮保持させている間に、ボルト等の取り付け部材を装着することができるので、脚４への脚側ブラケット５や背３の取り付け作業を容易なものとすることができる。
【００４０】
そしてこの実施例の座起立式椅子１によれば、脚４の下端部に、座２の横幅の１／３〜１／４の横幅の略盾形の足２２が固設されていることから、その足２２を床面Ｆに固定することで脚４の横方向の支持剛性が高まるので、複数の椅子１を横並びに設置する場合にそれらの椅子同士を連結する貫材を設ける必要をなくして、部品点数および組み立ての手間を削減し、椅子１の製造コストを安価なものにすることができる。
【００４１】
なお、図３に示すように、単独の椅子１を構成する場合は、脚４の上端部にキャップを設け、椅子１を机２３と組み合わせる場合は、脚４の上端部に天板２４を固定する。
【００４２】
以上、図示例に基づき説明したが、この発明は上述の例に限定されるものでなく、特許請求の範囲の記載範囲内で適宜変更し得るものであり、例えば、共通リンク部材８とコ字状リンク部材９とを前後で入れ替えることもでき、また、各部材の材質も所要に応じて適宜変更することができる。さらに、椅子１と組み合わされる机を、図示例の複数席に跨る長机２３から幅の狭い１人用のものに替えることもできる。
【産業上の利用可能性】
【００４３】
かくしてこの発明の座起立式椅子および座起立式椅子用座起立ユニットによれば、座揺動支持手段の左右２つの四節リンクを構成する前後２本１組で左右２組のリンク部材を、１本の共通リンク部材と１本のコ字状リンク部材とで構成するので、それらのリンク部材並びにそれを支持する軸部材および軸受け部材等の専用部品の部品点数を削減して、椅子の製造コストを安価なものにすることができる。
【００４４】
また、座の動きを滑らかにするために左右の四節リンクを連動させる必要がある処、１本の共通リンク部材も、２本のリンク部の座側の端部同士を軸部で結合した１本のコ字状リンク部材も、何れも左右の四節リンクを連動させるから、椅子の組み立て時には、１本の共通リンク部材を座側ブラケットで座の裏面に連結するとともに、その座側ブラケットの第１軸受け部分で１本のコ字状リンク部材の軸部を座の裏面の第１軸受け部分との間に挟持するだけで済むので、組み立ての手間を削減して、この点でも椅子の製造コストを安価なものにすることができる。
【００４５】
そしてこの発明の座起立ユニットによれば、その座起立ユニットを予め組み立てておくことで、注文に応じて異なる仕様の座を組み付けた座起立式椅子を短期間で容易に製造することができる。
【符号の説明】
【００４６】
１  座起立式椅子
２  座
２ａ  座面
２ｂ  リブ
２ｃ  裏面
２ｄ  第１軸受け部分
２ｅ  第２軸受け部分
２ｆ  ストッパ受け部
３  背
３ａ  受け面
３ｂ  リブ
３ｃ  ブラケット
３ｄ  仮保持突起
３ｅ  背面
４  脚
５  脚側ブラケット
５ａ  支持軸取り付け部
５ｂ  軸受け部
５ｃ  脚取り付け部
５ｄ  ねじ部
５ｅ  開口部
５ｆ  ねじ部
６  座側ブラケット
６ａ  第１軸受け部分
６ｂ  第２軸受け部分
６ｃ  押さえ部
６ｄ  ねじ孔
６ｅ  ナット案内溝
６ｆ  ばね端部案内溝
６ｇ  ボルト孔
７  座起立ユニット
８  共通リンク部材
８ａ  座側端部
８ｂ  脚側端部
９  コ字状リンク部材
９ａ  リンク部
９ｂ  軸部
９ｃ  軸受け部
１０  戻しばね
１１  戻しコマ
１１ａ  ねじ
１１ｂ  フェルト
１２  仮保持ねじ
１３  起立力調節ねじ
１４  ナット
１５  起立ばね
１５ａ  一端部
１５ｂ  他端部
１６  支持軸
１７  スペーサ
１８  支持軸
１９  スリーブ
２０  ブッシュ
２１  支持軸
２２  足
２３  机
２４  天板
F  床面
【図１】
2011004982.tif 000003
【図２】
2011004982.tif 000004
【図３】
2011004982.tif 000005
【図４】
2011004982.tif 000006
【図５】
2011004982.tif 000007
【図６】
2011004982.tif 000008
【図７】
2011004982.tif 000009
【図８】
2011004982.tif 000010
【図９】
2011004982.tif 000011
【図１０】
2011004982.tif 000012
【図１１】
2011004982.tif 000013
【図１２】
2011004982.tif 000014